(57)【要約】【課題】露出の誤差や露出ムラを低減した画像が撮影可能となり、かつ、不自然な露出の変化をユーザーに認識させにくい構成とすることが可能になる撮像装置及び方法、並びにプログラム及び記憶媒体を提供する。【解決手段】撮像装置は、自身の状態を判別する状態判別手段１３０と、状態判別手段１３０の出力により、撮像素子の行毎に順次、電荷蓄積開始走査を行う走査手段の走査パターンを設定する走査パターン設定手段１３１と、状態判別手段１３０の出力により、走査手段の走査パターンを走査パターン設定手段１３１が設定した走査パターンに変更するまでに要する回数を異ならせる選択手段１３４を備える。【選択図】図１
2008035106.tif 000002
【特許請求の範囲】
【請求項１】
メカニカルシャッター及び電子シャッターを併用して撮像動作を行う撮像装置において、
自身の状態を判別する状態判別手段と、
前記状態判別手段の出力により、撮像素子の行毎に順次、電荷蓄積開始走査を行う走査手段の走査パターンを設定する走査パターン設定手段と、
前記状態判別手段の出力により、前記走査手段の走査パターンを前記走査パターン設定手段が設定した走査パターンに変更するまでに要する回数を異ならせる選択手段と、
を備えることを特徴とする撮像装置。
【請求項２】
前記選択手段は、前記走査手段の走査パターンを直ちに前記走査パターン設定手段が設定した走査パターンに変更する第一の走査パターン変更手段と、前記走査手段の走査パターンを前記走査パターン設定手段が設定した走査パターンに段階的に変更する第二の走査パターン変更手段を有し、前記状態判別手段の出力により、前記第一の走査パターン変更手段又は前記第二の走査パターン変更手段のいずれかを選択することを特徴とする請求項１記載の撮像装置。
【請求項３】
前記状態判別手段は、累積作動回数を判別し、前記選択手段は、前記累積作動回数の情報により、前記第二の走査パターン変更手段を選択することを特徴とする請求項２記載の撮像装置。
【請求項４】
前記状態判別手段は、撮像装置自身の姿勢を判別し、前記選択手段は、前記撮像装置自身の姿勢により、前記第一の走査パターン変更手段を選択することを特徴とする請求項２記載の撮像装置。
【請求項５】
前記状態判別手段は、撮像装置自身の温度を判別し、前記選択手段は、前記撮像装置自身の温度により、前記第二の走査パターン変更手段を選択することを特徴とする請求項２記載の撮像装置。
【請求項６】
前記状態判別手段は、装着されたレンズを判別し、前記選択手段は、前記装着されたレンズにより前記第一の走査パターン変更手段を選択することを特徴とする請求項２記載の撮像装置。
【請求項７】
前記選択手段は、前記走査手段の走査パターンの変更が異なるシーンで行われる場合は、前記第一の走査パターン変更手段を選択し、電子先幕のリセット走査の走査パターンの変更が同一シーンで行われる場合は、前記第二の走査パターン変更手段を選択することを特徴とする請求項２記載の撮像装置。
【請求項８】
メカニカルシャッター及び電子シャッターを併用して撮像動作を行う撮像方法において、
自身の状態を判別する状態判別ステップと、
前記状態判別ステップの出力により、撮像素子の行毎に順次、電荷蓄積開始走査を行う走査手段の走査パターンを設定する走査パターン設定ステップと、
前記状態判別ステップでの判別結果により、前記走査手段の走査パターンを前記走査パターン設定ステップにて設定した走査パターンに変更するまでに要する回数を異ならせる選択ステップと、
を備えることを特徴とする撮像方法。
【請求項９】
前記選択ステップは、前記走査手段の走査パターンを直ちに前記走査パターン設定ステップが設定した走査パターンに変更する第一の走査パターン変更ステップと、前記走査手段の走査パターンを前記走査パターン設定ステップが設定した走査パターンに段階的に変更する第二の走査パターン変更ステップを有し、前記状態判別ステップの判別結果により、前記第一の走査パターン変更ステップ又は前記第二の走査パターン変更ステップのいずれかを選択することを特徴とする請求項８記載の撮像方法。
【請求項１０】
メカニカルシャッター及び電子シャッターを併用して撮像動作を行う撮像プログラムにおいて、
自身の状態を判別する状態判別モジュールと、
前記状態判別モジュールの出力により、撮像素子の行毎に順次、電荷蓄積開始走査を行う走査手段の走査パターンを設定する走査パターン設定モジュールと、
前記状態判別モジュールでの判別結果により、前記走査手段の走査パターンを前記走査パターン設定モジュールにて設定した走査パターンに変更するまでに要する回数を異ならせる選択モジュールと、
をコンピュータに実行させることを特徴とする撮像プログラム。
【請求項１１】
請求項１０記載の撮像プログラムを格納するコンピュータ読み取り可能な記憶媒体。
【発明の詳細な説明】
【技術分野】
【０００１】
本発明は、メカニカルシャッター及び電子シャッターを併用して撮像動作を行う撮像装置及び方法、並びにプログラム及び記憶媒体に関するものである。
【背景技術】
【０００２】
一眼レフタイプのデジタルカメラには、フォーカルプレンシャッター（以下、メカニカルシャッターと称す）と電子シャッターを併用して撮像動作を行うものがある（例えば、特許文献１参照）。
【０００３】
このシャッターは、後幕をメカニカルシャッターで構成し、このメカニカルシャッターと、後幕の走行に先行して撮像素子の画素のリセット走査を行う電子シャッターとにより、撮影を行うものである。この撮像素子の電荷蓄積開始走査（以下、リセット走査と称す）は、後幕のメカニカルシャッターの走行特性に合わせた走査パターンとなっている。
【０００４】
また、フォーカルプレーンの先幕及び後幕走行速度の変動に起因する露光状態の悪化を防ぐために、先幕及び後幕の走行速度を検出し、検出した速度に基づいて、先幕または後幕の走行速度を調整するものがある（例えば、特許文献２参照）。
【特許文献１】特開平１１−４１５２３号公報
【特許文献２】特開２００５-１５９４１８号公報
【発明の開示】
【発明が解決しようとする課題】
【０００５】
従来のメカニカルシャッターは、先幕、後幕２つのシャッター幕が同じ様な走行特性を持つように構成されている。従って、累積作動回数、姿勢、温度等の撮像装置の状態が変化した場合、先幕、後幕の走行特性はそれぞれが同じ様に変化し、露出の誤差や露出ムラが発生しない。
【０００６】
しかし、上記メカニカルシャッターと電子シャッターを併用したシャッターにおいては、累積作動回数、姿勢、温度等の撮像装置の状態が変化した場合、メカニカルシャッターの走行特性は変化するが、電子シャッターの走行特性は変化しない。そのために、露出の誤差や、露出ムラが発生する問題がある。
【０００７】
しかし、特許文献１には、撮像装置の状態が変化した場合の露出の誤差や露出ムラの補正について開示されていない。
【０００８】
これに対し、撮像装置の状態が変化したことを検知した場合に、電子シャッターの走行特性とメカニカルシャッターの走行特性の差分を補償するために、電子シャッターの走行特性を補正することが考えられる。撮像装置が横向きか縦向きかという撮像装置の姿勢の変化を検知したのであれば、メカニカルシャッターに作用する重力の向きを考慮して、その変化を完全に相殺するように電子シャッターの走行特性を補正すればよい。姿勢の変化を検知する度にこの補正を行えば、姿勢による露出誤差が生じない撮像装置を提供することができる。
【０００９】
しかしながら、撮像装置の状態が変化したからといって、必ずしも、その変化を完全に相殺するための補正を行わないほうが好ましい場合もある。
【００１０】
例えば、経時変化によるメカニカルシャッターの走行特性の変化は、撮影の度に少しずつ進行するものであって、撮影回数が所定値に達したときに、それまでの経時変化分をまとめて補正するほうが容易であり、補正の精度も高い。
【００１１】
ここで、撮影回数が所定値に達する前後で同じシーンを連続して撮影していたとすると、連続して得られた画像であるにも関わらず、その２つの画像の露出の度合いに不自然な差が生じる可能性がある。すると、この２つの画像を見たユーザーが撮像装置の露出制御に不具合が生じたと錯覚してしまうおそれがある。
【００１２】
特許文献２記載の技術では、先幕及び後幕の走行速度を検出し、検出した速度に基づいて、電子シャッターの走行特性を補正するため、常に理想とする露出状態の画像データを得ることができるので、上記の問題は生じない。しかしながら、メカ的に先幕、後幕の走行速度を調整するために、構造が複雑になる問題がある。
【００１３】
そこで、本発明の目的は、先幕及び後幕の走行速度を検出することなく、かつ、急激な露出の度合いの変化をユーザーに認識させにくくし、露出の誤差や露出ムラを低減させた適正露出の画像データを得ることが可能になる撮像装置及び方法、並びにプログラム及び記憶媒体を提供することにある。
【課題を解決するための手段】
【００１４】
上記目的を達成するために、請求項１記載の撮像装置は、メカニカルシャッター及び電子シャッターを併用して撮像動作を行う撮像装置において、自身の状態を判別する状態判別手段と、前記状態判別手段の出力により、撮像素子の行毎に順次、電荷蓄積開始走査を行う走査手段の走査パターンを設定する走査パターン設定手段と、前記状態判別手段の出力により、前記走査手段の走査パターンを前記走査パターン設定手段が設定した走査パターンに変更するまでに要する回数を異ならせる選択手段とを備えることを特徴とする。
【００１５】
請求項８記載の撮像方法は、メカニカルシャッター及び電子シャッターを併用して撮像動作を行う撮像方法において、自身の状態を判別する状態判別ステップと、前記状態判別ステップの出力により、撮像素子の行毎に順次、電荷蓄積開始走査を行う走査手段の走査パターンを設定する走査パターン設定ステップと、前記状態判別ステップでの判別結果により、前記走査手段の走査パターンを前記走査パターン設定ステップにて設定した走査パターンに変更するまでに要する回数を異ならせる選択ステップとを備えることを特徴とする。
【００１６】
請求項１０記載の撮像プログラムは、メカニカルシャッター及び電子シャッターを併用して撮像動作を行う撮像プログラムにおいて、自身の状態を判別する状態判別モジュールと、前記状態判別モジュールの出力により、撮像素子の行毎に順次、電荷蓄積開始走査を行う走査手段の走査パターンを設定する走査パターン設定モジュールと、前記状態判別モジュールでの判別結果により、前記走査手段の走査パターンを前記走査パターン設定モジュールにて設定した走査パターンに変更するまでに要する回数を異ならせる選択モジュールとをコンピュータに実行させることを特徴とする。
【００１７】
請求項１１記載のコンピュータ読み取り可能な記憶媒体は、請求項１０記載の撮像プログラムを格納する。
【発明の効果】
【００１８】
本発明の撮像装置によれば、露出の誤差や露出ムラを低減した画像が撮影可能となり、かつ、不自然な露出の変化をユーザーに認識させにくい構成とすることが可能になる。
【発明を実施するための最良の形態】
【００１９】
以下、本発明の実施の形態を図面を参照しながら詳細に説明する。
【００２０】
図１は、本発明の実施の形態に係る撮像装置のブロック構成を概略的に示す図である。
【００２１】
図１において、撮像装置（カメラシステム）は、カメラ本体１００と、カメラ本体１００に装着される交換レンズ１０１とを有している。
【００２２】
まず、カメラ本体１００内の構成について、その動作と併せて説明する。
【００２３】
カメラシステムが非撮影状態（図１に示す状態）にある場合において、交換レンズ１０１の撮影レンズ１１４を通過した被写体光束のうち一部の光束は、撮影光路内に位置するミラー部材１０２で反射してファインダ光学系１０３に導かれる。これにより、撮影者は、ファインダ光学系１０３を介して被写体像を観察することができる。
【００２４】
カメラシステムが非撮影状態から撮影状態に移行すると、ミラー部材１０２が撮影光路から退避することで、撮影レンズ１１４からの被写体光束は、ＣＭＯＳセンサである撮像素子１０４側に向かう。
【００２５】
撮像素子１０４に対して被写体側には、メカニカルシャッター１０５が配置されており、メカニカルシャッター１０５は、複数の遮光羽根で構成されるメカ後幕を有している。カメラＣＰＵ１１３は、シャッター駆動回路１０６を介してメカニカルシャッター１０５の駆動を制御する。
【００２６】
また、撮像素子１０４には、パルス発生回路１０７から走査クロックや所定の制御パルスが供給される。パルス発生回路１０７で発生した走査クロックのうち垂直走査用のクロックは、垂直駆動変調回路１０８によって、クロック周波数が所定の周波数に変調されて、撮像素子１０４に入力される。この垂直駆動変調回路１０８によって電子先幕のリセット走査の走査パターンが決定される。
【００２７】
また、パルス発生回路１０７は、信号処理回路１０９にもクロック信号を出力する。信号処理回路１０９は、撮像素子１０４から読み出された信号に対して所定の処理（色処理やガンマ補正等）を施すことにより画像データを生成する。該画像データは、映像表示回路１１０に出力されて撮影画像として表示され、あるいは画像記録回路１１１に記録される。
【００２８】
スイッチユニット１１２は、撮影条件等を設定するために操作されるスイッチ、撮影準備動作を開始するスイッチ、及び撮影動作を開始させるために操作されるスイッチを含む。そして、カメラＣＰＵ１１３は、スイッチユニット１１２の操作に応じた動作を行う。
【００２９】
状態判別手段１３０は不図示の累積作動回数カウンタ、姿勢検知装置、温度検知装置、等からなり、撮像装置の状態の情報をカメラＣＰＵ１１３に出力する。
【００３０】
カメラＣＰＵ１１３は、状態判別手段１３０の情報により、電子先幕のリセット走査の走査パターンを設定する走査パターン設定手段１３１、状態判別手段１３０の情報により電子先幕のリセット走査の走査パターンをただちに走査パターン設定手段１３１が設定した走査パターンに変更する第一の走査パターン変更手段１３２を内蔵している。
【００３１】
また、同様に、カメラＣＰＵ１１３は、状態判別手段１３０の情報により電子先幕のリセット走査の走査パターンを走査パターン設定手段１３１が設定した走査パターンに段階的に変更する第二の走査パターン変更手段１３３を内蔵している。また、同様に、カメラＣＰＵ１１３は、状態判別手段１３０の情報によりにより、第一の走査パターン変更手段１３２あるいは第二の走査パターン変更手段１３３を選択する選択手段１３４を内蔵している。
【００３２】
選択手段１３４は、電子先幕のリセット走査の走査パターンの変更が異なるシーンで行われる場合は、第一の走査パターン変更手段１３２を選択し、電子先幕のリセット走査の走査パターンの変更が同一シーンで行われる場合は第二の走査パターン変更手段１３３を選択するよう構成してもよい。
【００３３】
次に、交換レンズ１０１内の構成について説明する。
【００３４】
撮影レンズ１１４は、光軸方向に移動可能となっている。ここで、撮影レンズ１１４はズームレンズ等、複数のレンズユニットで構成することもできる。レンズＣＰＵ１１５は、レンズ駆動機構１１６を介して、撮影レンズ１１４の駆動を制御する。
【００３５】
絞り駆動機構１１７は、被写体輝度に応じて、絞り駆動回路１１８からの信号により撮影動作で絞りの制御を行う。ズーム駆動機構１１９は、一般に手動操作でズーム位置が決定され、そのズーム位置はズーム位置検出回路１２０により検出されて、レンズＣＰＵ１１５に送られる。
【００３６】
レンズＣＰＵ１１５は、交換レンズ１０１側の通信接点１２１及びカメラ本体１００側の通信接点１２２を介して、カメラ本体１００内のカメラＣＰＵ１１３と通信可能となっている。
【００３７】
本実施の形態のカメラシステムでは、従来一般的なメカ先幕に代えて電子シャッター（電子先幕）と、メカ後幕を用いて、本撮影を行うことができるようになっている。
【００３８】
図２は、図１における撮像素子及びメカ後幕の正面図である。
【００３９】
図２は、電子先幕のリセット走査及びメカ後幕の走行が途中にあるときの状態を示している。矢印１は、電子先幕のリセット走査及び読み出し走査の走査方向と、メカ後幕３の走行方向を示す。
【００４０】
撮影動作で電子先幕のリセット走査を行う場合、撮影レンズ１１４を介して撮像素子１０４の撮像面２で結像した被写体像は上下が反転するため、撮像面２の下側から上側に向かってリセット走査が行われることになる。図２では、メカ後幕３は、撮像面２の一部の領域を遮光している。
【００４１】
符号４は撮像素子１０４のうち電荷リセットされるライン（リセットライン）を示している。リセットライン４は、電子先幕の先端に相当する。リセットライン４とメカ後幕３の先端５との間のスリットによって形成される領域６は、撮像素子１０４において露光による電荷蓄積が行われている領域（電荷蓄積領域）である。
【００４２】
そして、撮像素子１０４内の特定の画素において、リセットライン４が通過してから、すなわち、リセット動作が開始されてから、メカ後幕３によって遮光状態となるまでの時間は、上記特定の画素における露光による電荷蓄積時間となる。
【００４３】
また、電荷蓄積の開始タイミングは、撮像素子１０４の行毎で異なっており、撮像面２のうち最も下に位置する行で電荷蓄積動作が最も早く開始され、最も上に位置する行で電荷蓄積動作が最も遅く開始される。
【００４４】
図３乃至図５は、電子先幕のリセット走査の走査パターンとメカ後幕の走行パターンとの関係を示す図で、横軸は時間、縦軸は撮像素子上の下から上への距離を表している。
【００４５】
図３は通常の状態で、符号１２はメカ後幕の走行カーブを表し、走行開始から徐々に速度が上がる状態を表している。符号１１は電子先幕のリセット走査の走査パターンを表し、メカ後幕の走行カーブとほぼ同じ走査パターンで露出ムラのない適正な露光が得られる。
【００４６】
図４はメカ後幕の幕速が速くなった状態を示す。符号１３はメカ後幕の走行カーブを表し、幕速が速くなったため、図３の走行カーブ１２に比べ走行カーブが立ってきている。符号１４は電子先幕のリセット走査の走査パターンを表し、図３と同じである。
【００４７】
図４からわかるように、撮像素子１０４の上になるに従って、電子先幕の走査パターン１４とメカ後幕の時間間隔が短くなり、撮像素子１０４の上になるに従って露出が不足し露出ムラを生じ、画面全体の露出も不足する。
【００４８】
状態判別手段１３０の情報が、メカ後幕の幕速が速くなる情報の場合には、走査パターン設定手段１３１が、電子先幕の走査パターン１５をメカ後幕の走行カーブ１３と同様に立たせる。このことにより、メカ後幕の走行カーブ１３とほぼ同じ走査パターン１５で露出ムラのない、適正な露光が得られる。
【００４９】
図５はメカ後幕の幕速が遅くなった状態を示す。符号１６はメカ後幕の走行カーブを表し、幕速が遅くなったため、図３の走行カーブ１２に比べて立ち上がりがなだらかになっている。符号１７は電子先幕のリセット走査の走査パターンを表し、図３と同じである。
【００５０】
図５からわかるように、撮像素子１０４の上になるに従って、電子先幕の走査パターン１７とメカ後幕の時間間隔が長くなり、撮像素子１０４の上になるに従って露出が過剰になり露出ムラを生じ、画面全体の露出も過剰になる。
【００５１】
状態判別手段１３０の情報が、メカ後幕の幕速が遅くなる情報の場合には、走査パターン設定手段１３１が電子先幕の走査パターン１８のように、メカ後幕の走行カーブ１６と同様に、なだらかな立ち上がりとする。このことにより、メカ後幕の走行カーブ１６とほぼ同じ走査パターン１８で露出ムラのない、適正な露光が得られる。
【００５２】
走査パターン設定手段１３１は、あらかじめ記憶された複数の走査パターンの中から走査パターンを設定してもよく、または、あらかじめ設定された走査パターンから演算により設定してもよい。
【００５３】
図６及び図７で第一の走査パターン変更手段５０３及び第二の走査パターン変更手段５０４の動作について説明する。
【００５４】
図６及び図７は、電子先幕のリセット走査の走査パターンとメカ後幕の走行パターンとの関係を示し、横軸は時間、縦軸は撮像素子上の下から上への距離を表している。
【００５５】
図６はメカ後幕の幕速が速くなった状態を示す。
【００５６】
状態判別手段１３０の情報が、メカ後幕の幕速が速くなる情報の場合には、走査パターン設定手段１３１が、電子先幕の走査パターン１５のようにメカ後幕の走行カーブ１３と同様に走査パターンを立たせる。
【００５７】
第一の走査パターン変更手段１３２は、撮影時の電子先幕の走査パターンを、走査パターン１４から走査パターン１５に直ちに変更する。第二の走査パターン変更手段１３３は、撮影時の電子先幕の走査パターンを、走査パターン１４、走査パターン２１、走査パターン１５と段階的に変更する。第一の走査パターン変更手段１３２は、走査パターンの変更の幅によらず、直ちに走査パターン設定手段１３１が設定した走査パターンに変更する。第二の走査パターン変更手段は、走査パターンの変更の幅に上限を有しており、走査パターンの変更の幅がこの上限を超えていれば、複数回に分けて走査パターン設定手段１３１が設定した走査パターンに変更する。
【００５８】
また、第一の走査パターン変更手段１３２と第二の走査パターン変更手段１３３の両方に上限を設け、第一の走査パターン変更手段１３２の上限のほうを大きくする構成としてもよい。また、第二の走査パターン変更手段１３３が、第一の走査パターン変更手段１３２よりも、走査パターン設定手段１３１が設定した走査パターンに達するまでの変更回数が必ず多くなるような構成としても構わない。
【００５９】
ここで、電子先幕のリセット走査の走査パターンとして走査パターン１４が設定された撮影が行われていた場合を例にあげて説明する。この撮影後に、状態判別手段１３０の情報に応じて第一の走査パターン変更手段１３２が選択されると、次の撮影時には電子先幕の走査パターンとして走査パターン１５が設定される。これに対し、状態判別手段１３０の情報に応じて第二の走査パターン変更手段１３３が選択されると、次の撮影時には走査パターン２１が設定され、さらにその次の撮影時には走査パターン１５が設定される。
【００６０】
本実施の形態では、電子先幕の走査パターン１４を、走査パターン２１、走査パターン１５と２段階で変更したが、他の数の段階で変更してもよい。
【００６１】
図７はメカ後幕の幕速が遅くなった状態を示す。
【００６２】
状態判別手段１３０の情報が、メカ後幕の幕速が遅くなる情報の場合には、走査パターン設定手段１３１が、電子先幕の走査パターン１８のように、メカ後幕の走行カーブ１６と同様に、なだらかな立ち上がりとする。
【００６３】
第一の走査パターン変更手段１３２は、撮影時の電子先幕の走査パターンを、走査パターン１７から走査パターン１８に直ちに変更する。第二の走査パターン変更手段１３３は、撮影時の電子先幕の走査パターンを、走査パターン１７、走査パターン２２、走査パターン１８と段階的に変更する。
【００６４】
ここで、電子先幕のリセット走査の走査パターンとして走査パターン１７が設定された撮影が行われていた場合を例にあげて説明する。この撮影後に、状態判別手段１３０の情報に応じて第一の走査パターン変更手段１３２が選択されると、次の撮影時には電子先幕の走査パターンとして走査パターン１８が設定される。これに対し、状態判別手段１３０の情報に応じて第二の走査パターン変更手段１３３が選択されると、次の撮影時には走査パターン２２が設定され、さらにその次の撮影時には走査パターン１８が設定される。
【００６５】
本実施の形態では電子先幕の走査パターン１７を、走査パターン２２、走査パターン１８と２段階で変更したが、他の数の段階で変更してもよい。
【００６６】
図８は、図１の撮像装置によって実行される撮影処理の手順を示すフローチャートである。
【００６７】
図８において、以下の処理が順次実行される。
【００６８】
ステップＳ１；撮影準備動作を開始するスイッチＳＷ１のＯＮ、ＯＦＦを判断する。ＳＷ１がＯＮであればステップＳ２に進み、ＯＦＦであれば、再びステップＳ１に戻る。
【００６９】
ステップＳ２；図示しない測光センサが被写体の輝度を測定し、測光センサ出力とＩＳＯ感度設定等の情報により、レンズの絞りが決定される。
【００７０】
ステップＳ３；図示しない測距系によって被写体距離情報が取得され、撮影レンズのフォーカス位置が決定される。
【００７１】
ステップＳ４；被写体輝度と絞り、ＩＳＯ感度設定等によりシャッター速度が決定される。
【００７２】
ステップＳ５；状態判別手段１３０が、撮像装置の状態情報を取得する。
【００７３】
ステップＳ６；走査パターン設定手段１３１が、状態判別手段１３０からの状態情報により、電子先幕のリセット走査の走査パターンを設定する。
【００７４】
ステップＳ７；選択手段１３４が、状態判別手段１３０からの状態情報により、第一の走査パターン変更手段１３２、あるいは第二の走査パターン変更手段１３３を選択する。
【００７５】
ステップＳ８；第一の走査パターン変更手段１３２、あるいは第二の走査パターン変更手段１３３が、電子先幕のリセット走査の走査パターンを変更する。
【００７６】
ステップＳ９；撮影動作を開始させるために操作されるスイッチＳＷ２のＯＮ、ＯＦＦを判断する。ＳＷ２がＯＮであればステップＳ１０に進み、ＯＦＦであれば、再びステップＳ９に戻る。
【００７７】
ステップＳ１０；撮像装置は撮影動作に移行し、ミラー１０２がアップする。
【００７８】
ステップＳ１１；第一の走査パターン変更手段１３２、あるいは第二の走査パターン変更手段１３３が変更した走査パターンで電子先幕のリセット動作が開始される。
【００７９】
ステップＳ１２；メカ後幕の走行が開始されて、撮像素子１０４上で電荷蓄積動作が順次行われる。
【００８０】
ステップＳ１３；ミラー１０２のダウンとシャッターチャージが行われて撮影の一連の処理が終了する。
【００８１】
本実施の形態の撮像装置において、状態判別手段１３０による撮像装置の状態情報と、選択手段１３４による選択動作の関係の例としては、以下のようなものが考えられる。
【００８２】
第１の例としては、状態判別手段１３０は、不図示の累積作動カウンタを備え、撮像装置の累積作動回数を判別する。走査パターン設定手段１３１は、状態判別手段１３０からの累積作動回数の情報により、電子先幕のリセット走査の走査パターンを設定する。累積作動回数によって電子先幕のリセット走査の走査パターンを変更する場合は、変更の前後に得られた画像が同一シーンに対して連続して得られたものである可能性が生じる。そこで、選択手段１３４は、状態判別手段１３０からの累積作動回数の情報によって走査パターンを変更する場合には、第二の走査パターン変更手段１３３を選択する。
【００８３】
第２の例としては、状態判別手段１３０は、不図示の姿勢検知装置を備え、撮像装置の姿勢を判別する。走査パターン設定手段１３１は、状態判別手段１３０からの姿勢の情報により、電子先幕のリセット走査の走査パターンを設定する。撮像装置の姿勢が変化する場合は、被写体となるシーンが変化するため、走査パターンをただちに変更する必要がある。そこで、選択手段１３４は、状態判別手段１３０からの姿勢の情報によって走査パターンを変更する場合には、第一の走査パターン変更手段１３２を選択する。
【００８４】
第３の例としては、状態判別手段１３０は、不図示の温度検出手段を備え、撮像装置の温度を判別する。走査パターン設定手段１３１は、状態判別手段１３０からの温度の情報により、電子先幕のリセット走査の走査パターンを設定する。温度変化によって電子先幕のリセット走査の走査パターンを変更する場合は、変更の前後に得られた画像が同一シーンに対して連続して得られたものである可能性が生じる。そこで、選択手段１３４は、状態判別手段１３０からの温度の情報によって走査パターンを変更する場合には、第二の走査パターン変更手段１３３を選択する。
【００８５】
第４の例としては、状態判別手段１３０は、撮影レンズ１０１の情報から、撮影レンズを判別する。走査パターン設定手段１３１は、状態判別手段１３０からの撮影レンズの情報により、電子先幕のリセット走査の走査パターンを設定する。撮影レンズが変化する場合は、被写体となるシーンが変化するため、走査パターンをただちに変更する必要がある。そこで、選択手段１３４は、状態判別手段１３０からの撮影レンズの情報によって走査パターンを変更する場合には、第一の走査パターン変更手段１３２を選択する。
【００８６】
これら４つの例のうち、第一の走査パターン変更手段１３２を選択すべき場合と、第二の走査パターン変更手段１３３を選択すべき事例が同時に生じることも考えられる。この場合は、被写体となるシーンが変化しているため、第二の走査パターン変更手段１３３を選択すればよい。
【００８７】
さらに、状態判別手段１３０が図示しない測距系や測光センサで被写体の距離情報や輝度情報を観察する構成としてもよい。選択手段１３４は、この観察結果によりシーンが同一であると判断されれば、第二の走査パターン変更手段１３３を選択し、シーンが変化したと判断されれば第一の走査パターン変更手段１３２を選択すればよい。
【００８８】
また、本発明の目的は、実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出して実行することによっても達成される。
【００８９】
この場合、記憶媒体から読み出されたプログラムコード自体が前述した実施の形態の機能を実現することになり、そのプログラムコード及び該プログラムコードを記憶した記憶媒体は本発明を構成することになる。
【００９０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００９１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００９２】
【図１】本発明の実施の形態に係る撮像装置のブロック構成を概略的に示す図である。
【図２】図１の撮像装置における電子先幕とメカ後幕の関係を示す図である。
【図３】図１の撮像装置における通常の電子先幕のリセット走査の走査パターンとメカ後幕の走行パターンとの関係を示す図である。
【図４】図１の撮像装置におけるメカ後幕の幕速が速くなった状態のリセット走査の走査パターンとメカ後幕の走行パターンとの関係を示す図である。
【図５】図１の撮像装置におけるメカ後幕の幕速が遅くなった状態のリセット走査の走査パターンとメカ後幕の走行パターンとの関係を示す図である。
【図６】図１の撮像装置における第一の走査パターン変更手段及び第二の走査パターン変更手段の動作についての説明図である（その１）。
【図７】図１の撮像装置における第一の走査パターン変更手段及び第二の走査パターン変更手段の動作についての説明図である（その２）。
【図８】図１の撮像装置によって実行される撮影処理の手順を示すフローチャートである。
【符号の説明】
【００９３】
１００  カメラ本体
１０１  交換レンズ
１０４  撮像素子
１０５  メカニカルシャッター
１０６  シャッター駆動回路
１０７  パルス発生回路
１０８  垂直駆動変調回路
１０９  信号処理回路
１１０  映像表示回路
１１１  画像記録回路
１１２  スイッチユニット
１１３  カメラＣＰＵ
１３０  状態判別手段
１３１  走査パターン設定手段
１３２  第一の走査パターン変更手段
１３３  第二の走査パターン変更手段
１３４  選択手段
【図１】
2008035106.tif 000003
【図２】
2008035106.tif 000004
【図３】
2008035106.tif 000005
【図４】
2008035106.tif 000006
【図５】
2008035106.tif 000007
【図６】
2008035106.tif 000008
【図７】
2008035106.tif 000009
【図８】
2008035106.tif 000010